(57)【要約】【課題】ネットワークの送信速度が遅くても、撮影により得られる映像をネットワークを介して送信し、撮影と同時に送信先で映像を再生することが可能な映像撮影装置を提供する。【解決手段】映像撮影装置１００は、撮影することにより複数のフレームからなる映像元データを生成して記録する撮影部１０１、エンコーダ１０２および撮影記録部１０３と、記録速度が送信速度よりも速い場合、映像元データからフレームを間引く送信フレーム決定部１０９と、間引かれた残りの複数のフレームからなる第１の映像データを映像記録再生装置２００に送信する送信部１０５と、第１の映像データが送信された後、送信部１０５に対して、間引かれたフレームからなる第２の映像データを映像記録再生装置２００に送信させる間引きフレーム読出部１０７とを備える。【選択図】図２
2008311791.tif 000002
【特許請求の範囲】
【請求項１】
撮影し、その撮影により得られた映像を、ネットワークを介して接続された受信装置に送信する映像撮影装置であって、
撮影することにより複数のフレームからなる映像元データを生成して記録媒体に記録する撮影記録手段と、
前記撮影記録手段によって前記映像元データが生成されて記録される記録速度と、前記映像撮影装置から前記ネットワークを介して前記受信装置にデータが送信される送信速度とを比較する比較手段と、
前記比較手段によって前記記録速度が前記送信速度よりも速いと判断された場合、前記記録速度および前記送信速度に応じた枚数のフレームを前記映像元データから間引き、残りの複数のフレームからなる第１の映像データを、前記ネットワークを介して前記受信装置に送信する第１の送信手段と、
前記第１の映像データが送信された後、前記第１の送信手段により間引かれた１つまたは複数のフレームからなる第２の映像データを、前記ネットワークを介して前記受信装置に送信する第２の送信手段と
を備えることを特徴とする映像撮影装置。
【請求項２】
送信装置から送信された映像を受信して記録する映像記録再生装置であって、
映像元データから１つまたは複数のフレームが間引かれた残りの複数のフレームからなる第１の映像データをフレームごとに前記送信装置から受信するとともに、間引かれた前記１つまたは複数のフレームからなる第２の映像データを前記送信装置から受信する受信手段と、
第１および第２の領域を有する記録媒体と、
前記第１の映像データのフレームが受信されるごとに、当該フレームを前記第１の領域に記録する第１の記録手段と、
前記第１の映像データのフレームが受信されるごとに、当該フレームを処理対象フレームとし、前記処理対象フレームの直前に間引かれたフレームがあるか否かを判別する間引き判別手段と、
前記間引かれたフレームがあると判別された場合、前記処理対象フレームの直前に受信された前記第１の映像データのフレームを、前記間引かれたフレームの数だけ前記第２の領域に記録する第２の記録手段と、
前記第２の映像データが受信されたときには、前記第２の映像データに含まれる全てのフレームを、前記第１の映像データの各フレームが既に記録された前記第２の領域に上書する上書手段と、
前記第１および第２の領域から複数のフレームを連続して読み出して再生する再生手段と
を備えることを特徴とする映像記録再生装置。
【請求項３】
前記第２の記録手段は、前記第１の映像データの複数のフレームを前記第２の領域に記録するときには、前記複数のフレームを物理的に連続させ、
前記上書手段は、前記第１の映像データの複数のフレームが既に記録された前記第２の領域に、前記第２の映像データの複数のフレームを物理的に連続させて上書する
ことを特徴とする請求項２記載の映像記録再生装置。
【請求項４】
前記第１および第２の記録手段と前記上書手段とはそれぞれ、前記各フレームを予め定められたデータサイズで前記記録媒体に記録する
ことを特徴とする請求項２記載の映像記録再生装置。
【請求項５】
前記第１および第２の記録手段と前記上書手段とはそれぞれ、前記各フレームのデータサイズが、前記記録媒体のクラスタのサイズの整数倍でない場合には、前記データサイズが前記整数倍となるように、前記再生手段により再生されることのないダミーのデータを前記各フレームに付して前記記録媒体に記録する
ことを特徴とする請求項３記載の映像記録再生装置。
【請求項６】
前記間引き判別手段は、
前記処理対象フレームと、前記処理対象フレームの直前に受信されたフレームとのそれぞれに付された、順番を示すタイムコードを取得し、
２つの前記タイムコードの間に欠番があれば、前記間引かれたフレームが前記欠番の数だけあると判別する
ことを特徴とする請求項２記載の映像記録再生装置。
【請求項７】
映像撮影装置が撮影し、その撮影により得られた映像を、ネットワークを介して接続された受信装置に送信する映像撮影方法であって、
撮影することにより複数のフレームからなる映像元データを生成して記録媒体に記録する撮影記録ステップと、
前記撮影記録ステップで前記映像元データが生成されて記録される記録速度と、前記映像撮影装置から前記ネットワークを介して前記受信装置にデータが送信される送信速度とを比較する比較ステップと、
前記比較ステップによって前記記録速度が前記送信速度よりも速いと判断された場合、前記記録速度および前記送信速度に応じた枚数のフレームを前記映像元データから間引き、残りの複数のフレームからなる第１の映像データを、前記ネットワークを介して前記受信装置に送信する第１の送信ステップと、
前記第１の映像データが送信された後、前記第１の送信ステップで間引かれた１つまたは複数のフレームからなる第２の映像データを、前記ネットワークを介して前記受信装置に送信する第２の送信ステップと
を含むことを特徴とする映像撮影方法。
【請求項８】
映像記録再生装置が送信装置から送信された映像を受信して記録媒体に記録する映像記録再生方法であって、
映像元データから１つまたは複数のフレームが間引かれた残りの複数のフレームからなる第１の映像データをフレームごとに前記送信装置から受信する第１の受信ステップと、
間引かれた前記１つまたは複数のフレームからなる第２の映像データを前記送信装置から受信する第２の受信ステップと、
前記第１の受信ステップで前記第１の映像データのフレームが受信されるごとに、前記記録媒体が有する第１の領域に当該フレームを記録する第１の記録ステップと、
前記第１の受信ステップで前記第１の映像データのフレームが受信されるごとに、当該フレームを処理対象フレームとし、前記処理対象フレームの直前に間引かれたフレームがあるか否かを判別する間引き判別ステップと、
前記間引き判別ステップで前記間引かれたフレームがあると判別された場合、前記処理対象フレームの直前に受信された前記第１の映像データのフレームを、前記間引かれたフレームの数だけ、前記記録媒体が有する第２の領域に記録する第２の記録ステップと、
前記第２の受信ステップで前記第２の映像データが受信されたときには、前記第２の映像データに含まれる全てのフレームを、前記第１の映像データの各フレームが既に記録された前記第２の領域に上書する上書ステップと、
前記第１および第２の領域から複数のフレームを連続して読み出して再生する再生ステップと
を含むことを特徴とする映像記録再生方法。
【請求項９】
映像撮影装置が撮影し、その撮影により得られた映像を、ネットワークを介して接続された受信装置に送信するためのプログラムであって、
撮影することにより複数のフレームからなる映像元データを生成して記録媒体に記録する撮影記録ステップと、
前記撮影記録ステップで前記映像元データが生成されて記録される記録速度と、前記映像撮影装置から前記ネットワークを介して前記受信装置にデータが送信される送信速度とを比較する比較ステップと、
前記比較ステップによって前記記録速度が前記送信速度よりも速いと判断された場合、前記記録速度および前記送信速度に応じた枚数のフレームを前記映像元データから間引き、残りの複数のフレームからなる第１の映像データを、前記ネットワークを介して前記受信装置に送信する第１の送信ステップと、
前記第１の映像データが送信された後、前記第１の送信ステップで間引かれた１つまたは複数のフレームからなる第２の映像データを、前記ネットワークを介して前記受信装置に送信する第２の送信ステップと
をコンピュータに実行させることを特徴とするプログラム。
【請求項１０】
映像記録再生装置が送信装置から送信された映像を受信して記録媒体に記録するためのプログラムであって、
映像元データから１つまたは複数のフレームが間引かれた残りの複数のフレームからなる第１の映像データをフレームごとに前記送信装置から受信する第１の受信ステップと、
間引かれた前記１つまたは複数のフレームからなる第２の映像データを前記送信装置から受信する第２の受信ステップと、
前記第１の受信ステップで前記第１の映像データのフレームが受信されるごとに、前記記録媒体が有する第１の領域に当該フレームを記録する第１の記録ステップと、
前記第１の受信ステップで前記第１の映像データのフレームが受信されるごとに、当該フレームを処理対象フレームとし、前記処理対象フレームの直前に間引かれたフレームがあるか否かを判別する間引き判別ステップと、
前記間引き判別ステップで前記間引かれたフレームがあると判別された場合、前記処理対象フレームの直前に受信された前記第１の映像データのフレームを、前記間引かれたフレームの数だけ、前記記録媒体が有する第２の領域に記録する第２の記録ステップと、
前記第２の受信ステップで前記第２の映像データが受信されたときには、前記第２の映像データに含まれる全てのフレームを、前記第１の映像データの各フレームが既に記録された前記第２の領域に上書する上書ステップと、
前記第１および第２の領域から複数のフレームを連続して読み出して再生する再生ステップと
をコンピュータに実行させることを特徴とするプログラム。
【発明の詳細な説明】
【技術分野】
【０００１】
本発明は、撮影してその撮影により得られた映像データを記録媒体に記録すると共に、ネットワーク経由でそのデータを送信する映像撮影装置と、映像撮影装置から送信された映像データを記録媒体に記録し、その記録媒体に記録された映像データを読み出して再生する映像記録再生装置に関する。
【背景技術】
【０００２】
近年、ネットワーク技術の進歩やインフラ（infrastructure）の整備によって、高速かつ大容量のデータ通信が容易に利用できるようになってきた。そのため、映像という容量の大きい情報もネットワーク経由で頻繁にやり取りされるようになってきている。
【０００３】
そこで、従来、撮影してその撮影により得られた映像データを記録すると共に、ネットワークを介してその映像データを送信する映像撮影装置と、その映像データを受信して記録するとともに再生する映像記録再生装置が提案されている（例えば、特許文献１参照）。
【０００４】
図１０は、上記特許文献１の映像撮影装置および映像記録再生装置を含む映像送信システムの構成を示す図である。
【０００５】
この映像送信システムは、映像撮影装置であるデジタルビデオカメラ９０１と、サーバ９０２と、映像記録再生装置であるパーソナルコンピュータ９０３とを備える。また、デジタルビデオカメラ９０１とサーバ９０２とパーソナルコンピュータ９０３は、ネットワークを介して接続されている。
【０００６】
デジタルビデオカメラ９０１は、撮影して得られた映像データを、ファイルとして記録メディアに記録し、サーバ９０２を介してそのファイルをパーソナルコンピュータ９０３に送信する。
【０００７】
パーソナルコンピュータ９０３は、サーバ９０２を介してデジタルビデオカメラ９０１からファイルを受信して記録し、そのファイルを再生することにより、デジタルビデオカメラ９０１で撮影された映像を表示する。
【０００８】
ここで、デジタルビデオカメラ９０１は、ファイルの送信が途中で中断した場合には、中断した位置でそのファイルを２つに分割する。即ち、デジタルビデオカメラ９０１は、送信済みのファイルの一部の映像データを削除して記録メディアの記録容量を確保するとともに、未送信のファイルの一部の映像データを別のファイルとしてパーソナルコンピュータ９０３に送信する。
【０００９】
このように、上記特許文献１の映像撮影装置および映像記録再生装置では、映像撮影装置によるファイルの送信が途中で中断した場合であっても、そのファイルを映像記録再生装置に適切に送信して再生させることができる。
【特許文献１】特開２００４−７３５６号公報
【発明の開示】
【発明が解決しようとする課題】
【００１０】
しかしながら、上記特許文献１の映像撮影装置および映像記録再生装置では、映像撮影装置により撮影されて得られた映像データを、映像記録再生装置でリアルタイムに再生することができない場合があるという問題がある。
【００１１】
つまり、映像撮影装置による継続的な撮影によって逐次得られる映像を、映像記録再生装置に遅滞なく再生させようとしても、映像撮影装置と映像記録再生装置との間のネットワークの送信速度が遅い場合には、映像記録再生装置は、映像撮影装置による撮影に遅れて映像を表示してしまうのである。
【００１２】
具体的には、映像撮影装置は、撮影によって映像を示すフレームを順次生成して記録すると、それらのフレームを遅滞なく、生成された順番に従って映像記録再生装置に順次送信しようとする。ここで、ネットワークのデータ送信レート（送信速度）が、映像撮影装置によるフレームの記録レートよりも遅い場合には、映像撮影装置は、生成されたフレームが記録メディアに記録されているにも関わらず、そのフレームを映像記録再生装置に送信することができず、映像記録再生装置によるそのフレームの再生を遅らせてしまう。
【００１３】
そこで、本発明は、かかる問題に鑑みてなされたものであって、ネットワークの送信速度が遅くても、撮影により得られる映像をネットワークを介して送信し、撮影と同時に送信先で映像を再生することが可能な映像撮影装置および映像記録再生装置とを提供することを目的とする。
【課題を解決するための手段】
【００１４】
上記目的を達成するために、本発明に係る映像撮影装置は、撮影し、その撮影により得られた映像を、ネットワークを介して接続された受信装置に送信する映像撮影装置であって、撮影することにより複数のフレームからなる映像元データを生成して記録媒体に記録する撮影記録手段と、前記撮影記録手段によって前記映像元データが生成されて記録される記録速度と、前記映像撮影装置から前記ネットワークを介して前記受信装置にデータが送信される送信速度とを比較する比較手段と、前記比較手段によって前記記録速度が前記送信速度よりも速いと判断された場合、前記記録速度および前記送信速度に応じた枚数のフレームを前記映像元データから間引き、残りの複数のフレームからなる第１の映像データを、前記ネットワークを介して前記受信装置に送信する第１の送信手段と、前記第１の映像データが送信された後、前記第１の送信手段により間引かれた１つまたは複数のフレームからなる第２の映像データを、前記ネットワークを介して前記受信装置に送信する第２の送信手段とを備えることを特徴とする。
【００１５】
これにより、記録速度がネットワークの送信速度よりも速い場合には、映像元データから幾つかのフレームが間引かれて残った複数のフレームからなる第１の映像データが送信されるため、第１の映像データを送信速度以下で送信することができ、第１の映像データに含まれる各フレームを、撮影記録手段によって生成された後に遅滞なく受信装置（例えば、映像記録再生装置）に送信することができる。その結果、送信先の受信装置では、撮影により得られる例えば動画像などの映像を、その撮影と同時にリアルタイムで再生することができる。さらに、第１の映像データが送信された後、間引かれた幾つかのフレームからなる第２の映像データが受信装置に送信されるため、その受信装置では、映像撮影装置の記録媒体に記録された映像元データと同一のデータを記録することができ、高画質の映像を再生することができる。
【００１６】
また、本発明に係る映像記録再生装置は、送信装置から送信された映像を受信して記録する映像記録再生装置であって、映像元データから１つまたは複数のフレームが間引かれた残りの複数のフレームからなる第１の映像データをフレームごとに前記送信装置から受信するとともに、間引かれた前記１つまたは複数のフレームからなる第２の映像データを前記送信装置から受信する受信手段と、第１および第２の領域を有する記録媒体と、前記第１の映像データのフレームが受信されるごとに、当該フレームを前記第１の領域に記録する第１の記録手段と、前記第１の映像データのフレームが受信されるごとに、当該フレームを処理対象フレームとし、前記処理対象フレームの直前に間引かれたフレームがあるか否かを判別する間引き判別手段と、前記間引かれたフレームがあると判別された場合、前記処理対象フレームの直前に受信された前記第１の映像データのフレームを、前記間引かれたフレームの数だけ前記第２の領域に記録する第２の記録手段と、前記第２の映像データが受信されたときには、前記第２の映像データに含まれる全てのフレームを、前記第１の映像データの各フレームが既に記録された前記第２の領域に上書する上書手段と、前記第１および第２の領域から複数のフレームを連続して読み出して再生する再生手段とを備えることを特徴とする。
【００１７】
これにより、第１の映像データが受信されているときには、その第１の映像データのフレームが受信されるごとに、そのフレームが記録媒体の第１の領域に記録されるとともに、間引きされたフレーム（直前の間引きフレーム）の数だけ第２の領域にも記録される。ここで、例えば、フレームの撮影の順番に従い、同一の複数のフレームが連続して読み出されるように、記録媒体から読み出されるフレームのアドレスの順番が決められている。したがって、第１の映像データが受信されているときに、再生手段がそのアドレスの順番に沿ってフレームを連続して読み出して再生すれば、送信装置（映像撮影装置）によって撮影されて得られる例えば動画像などの映像を、その撮影と同時にリアルタイムで再生することができる。
【００１８】
さらに、第２の映像データが受信されたときには、第１の映像データの幾つかのフレームが既に記録された第２の領域に、前記第２の映像データの全てのフレームが上書される。その結果、第２の映像データが全て受信された後には、再生手段は、上述のアドレスの順番を変えることなく、同一のアドレスの順番に従って各フレームを記録媒体から読み出せば、映像元データに含まれていたフレームの順番に従って、それらのフレームを読み出して高画質に映像を再生することができる。つまり、第１の映像データが受信されているときにおけるフレームの読み出しおよび再生処理と、第２の映像データが全て受信された後におけるフレームの読み出しおよび再生処理とを共通にすることができ、アドレスの順番変更などの複雑な処理を省くことができる。
【００１９】
また、前記第２の記録手段は、前記第１の映像データの複数のフレームを前記第２の領域に記録するときには、前記複数のフレームを物理的に連続させ、前記上書手段は、前記第１の映像データの複数のフレームが既に記録された前記第２の領域に、前記第２の映像データの複数のフレームを物理的に連続させて上書することを特徴としてもよい。
【００２０】
これにより、上書手段は、第２の映像データの複数のフレームを物理的に連続させて上書するため、それらのフレームを不連続に上書するよりも速い速度で、それらのフレームを上書することができる。
【００２１】
また、前記第１および第２の記録手段と前記上書手段とはそれぞれ、前記各フレームを予め定められたデータサイズで前記記録媒体に記録することを特徴としてもよい。例えば、前記第１および第２の記録手段と前記上書手段とはそれぞれ、前記各フレームのデータサイズが、前記記録媒体のクラスタのサイズの整数倍でない場合には、前記データサイズが前記整数倍となるように、前記再生手段により再生されることのないダミーのデータを前記各フレームに付して前記記録媒体に記録する。
【００２２】
これにより、第２の領域において、第１の映像データのフレームが記録されていた範囲と、第２の映像データのフレームの上書すべき範囲とを確実に一致させることができる。その結果、第１の映像データが受信されているときにおけるフレームの読み出しおよび再生処理と、第２の映像データが全て受信された後におけるフレームの読み出しおよび再生処理とを確実に共通にすることができる。
【００２３】
また、前記間引き判別手段は、前記処理対象フレームと、前記処理対象フレームの直前に受信されたフレームとのそれぞれに付された、順番を示すタイムコードを取得し、２つの前記タイムコードの間に欠番があれば、前記間引かれたフレームが前記欠番の数だけあると判別することを特徴としてもよい。
【００２４】
これにより、間引かれたフレームがあるか否かを確実に判別し、さらに、間引かれたフレームの数を正確に算出することができる。
【００２５】
なお、本発明は、このような映像撮影装置および映像記録再生装置として実現することができるだけでなく、その方法やプログラム、そのプログラムを格納する記憶媒体としても実現することができる。
【発明の効果】
【００２６】
本発明の映像撮影装置および映像記録再生装置は、ネットワークの送信速度が遅くても、撮影により得られる映像をネットワークを介して送信し、撮影と同時に送信先で映像を再生することができるという作用効果を奏する。
【発明を実施するための最良の形態】
【００２７】
以下、本発明の実施の形態における映像送信システムを、図面を参照しながら説明する。
【００２８】
図１は、本実施の形態における映像送信システムを示す図である。
映像送信システムは、それぞれインターネットなどのネットワークを介して接続された送信装置たる映像撮影装置１００と、受信装置たる映像記録再生装置２００とを備えている。
【００２９】
映像撮影装置１００は、例えばテレビ番組の撮影で使用されるような放送業務用のビデオカメラや、一般の家庭で使用されるようなデジタルビデオカメラなどであって、無線通信媒体を介してネットワークに接続される。
【００３０】
映像記録再生装置２００は、例えばパーソナルコンピュータや、テレビ局などで使用されるような放送業務用の記録再生装置である。
【００３１】
映像撮影装置１００は、継続的に撮影を行い、その撮影によって映像を示すフレームを順次生成する。そして、映像撮影装置１００は、それらのフレームを内蔵された記録媒体に順次記録すると共に、ネットワークを介してそれらのフレームを映像データ（ビットストリーム）として映像記録再生装置２００に送信（転送）する。
【００３２】
映像記録再生装置２００は、ネットワークを介して映像撮影装置１００から映像データであるフレームを順次受信すると、そのフレームを内蔵された記録媒体に順次格納する。さらに、映像記録再生装置２００は、その記録媒体に格納された複数のフレームを読み出しながら再生する。これにより、映像撮影装置１００により撮影された動画像などの映像が表示される。
【００３３】
このように、本実施の形態における映像送信システムでは、映像撮影装置１００が送信装置として構成され、映像記録再生装置２００が受信装置として構成されている。
【００３４】
図２は、映像撮影装置１００および映像記録再生装置２００の内部構成を示すブロック図である。
【００３５】
映像撮影装置１００は、撮影部１０１、エンコーダ１０２、撮影記録部１０３、撮影記録媒体１０４、送信部１０５、送信管理部１０６、間引きフレーム読出部１０７、送信レート特定部１０８、および送信フレーム決定部１０９を備える。
【００３６】
なお、本実施の形態では、撮影部１０１、エンコーダ１０２および撮影記録部１０３が撮影記録手段として構成されており、送信フレーム決定部１０９が比較手段としての機能を備えている。さらに、送信フレーム決定部１０９と送信部１０５とから第１の送信手段が構成され、間引きフレーム読出部１０７と送信部１０５とから第２の送信手段が構成されている。
【００３７】
撮影部１０１は、例えばＣＣＤ（Charge Coupled Devices）を備え、光信号をデジタルの電気信号に変換することにより、映像を示すフレームを順次生成してエンコーダ１０２に出力する。
【００３８】
エンコーダ１０２は、撮影部１０１からフレームを順次取得すると、ビデオ規格であるＤＶＣＰＲＯフォーマットやＤＶフォーマットなどに従って、それらのフレームを固定ビットレートでフレーム内圧縮（イントラ符号化）する。
【００３９】
そして、エンコーダ１０２は、フレームを取得して圧縮した順番、つまり撮影された順番を示すタイムコードを、その圧縮された各フレームに付し、そのタイムコードが付されて圧縮されたフレームを送信フレーム決定部１０９および撮影記録部１０３に出力する。
【００４０】
例えば、エンコーダ１０２は、各フレームに対して、先頭のフレームから順番にタイムコード「００：００：００：００，  ００：００：００：０１，  ００：００：００：０２，…」を付す。なお、本実施の形態の説明を簡単にするため、以下、タイムコード「００：００：００：００」をタイムコード「１」と記述する。同様に、タイムコード「００：００：００：０１」をタイムコード「２」と記述し、タイムコード「００：００：００：０２」をタイムコード「３」と記述するように、実際の各タイムコードを上述の順番に対応させて記述する。
【００４１】
このように、撮影部１０１およびエンコーダ１０２が動作することにより、圧縮された複数のフレームからなる映像データがビットストリームとして送信フレーム決定部１０９および撮影記録部１０３に出力される。なお、本実施の形態では、複数のフレームからなるデータを映像データといい、エンコーダ１０２から出力される映像データを映像元データという。
【００４２】
撮影記録部１０３は、エンコーダ１０２から圧縮されたフレームを取得するごとに、そのフレームを撮影記録媒体１０４に記録することにより、映像元データの全てを撮影記録媒体１０４に記録する。また、撮影記録部１０３が映像元データを撮影記録媒体１０４に記録するときの記録レート（記録速度）は、エンコーダ１０２から出力される映像元データのビットレートと等しく、固定されている。
【００４３】
送信レート特定部１０８は、映像撮影装置１００と映像記録再生装置２００との間におけるネットワークのデータの送信レート（送信速度）を特定し、特定された送信レートを送信フレーム決定部１０９に通知する。なお、この送信レートは、ネットワークを介してデータを送信するときの最大の送信速度である。
【００４４】
送信フレーム決定部１０９は、送信レート特定部１０８から通知された送信レートと撮影記録部１０３の記録レートとを比較し、その結果に基づいて、エンコーダ１０２から出力される複数のフレームの中から、映像記録再生装置２００に送信すべきフレームを送信フレームとして決定する。つまり、送信フレーム決定部１０９は、送信レートが記録レート以上である場合には、全てのフレームを送信フレームに決定し、送信レートが記録レート未満である場合、つまり記録レートが送信レートよりも速い場合には、一部のフレームを送信フレームに決定する。
【００４５】
具体的には、送信フレーム決定部１０９は、例えば、送信レートを記録レートで除算し、その結果が１以上であるか否かを判別する。そして、送信フレーム決定部１０９は、１以上であると判別すると、エンコーダ１０２から出力される全てのフレームを送信フレームに決定する。一方、送信フレーム決定部１０９は、上述の除算の結果が１未満で１／２以上である場合には、エンコーダ１０２から出力されるフレームの２枚に１枚を送信フレームに決定し、除算の結果が１／２未満で１／３以上である場合には、エンコーダ１０２から出力されるフレームの３枚に１枚を送信フレームに決定する。
【００４６】
そして、送信フレーム決定部１０９は、エンコーダ１０２から出力されたフレームのうち、送信フレームとして決定されたフレームのみを送信部１０５に出力する。
【００４７】
このように、送信フレーム決定部１０９は、エンコーダ１０２から順次出力される複数のフレームの中から、送信レートと記録レートとに応じた数のフレームを間引いて、残りのフレームを送信フレームとして送信部１０５に出力している。
【００４８】
さらに、送信フレーム決定部１０９は、エンコーダ１０２から出力された映像元データの最後のフレームに付されているタイムコードを最終タイムコードとして送信部１０５に出力する。
【００４９】
また、送信フレーム決定部１０９は、送信フレームとして決定されなかったフレームのタイムコードを送信管理部１０６に出力する。
【００５０】
送信管理部１０６は、送信フレーム決定部１０９からタイムコードを順次取得すると、そのタイムコードを順次記憶する。そして、送信管理部１０６は、送信部１０５から指示を受けると、それまでにタイムコードを記憶していれば、その記憶していた全てのタイムコードを間引きフレーム読出部１０７に出力する。また、送信管理部１０６は、全てのタイムコードの出力が終了すると、それらのタイムコードを消去する。
【００５１】
間引きフレーム読出部１０７は、送信管理部１０６からタイムコードを取得すると、そのタイムコードが付されたフレームを間引きフレームとして撮影記録媒体１０４から読み出し、送信部１０５に出力する。
【００５２】
送信部１０５は、送信フレーム決定部１０９から出力された送信フレームを順次取得すると、それらの送信フレームを第１映像データとしてネットワークを介し映像記録再生装置２００に送信する。つまり、送信レートが記録レート以上である場合には、第１映像データは映像元データと等しく、送信レートが記録レート未満である場合には、第１映像データは、映像元データから幾つかのフレームが間引かれて残された複数の送信フレームからなる。
【００５３】
また、第１の映像データは、上述のように、送信レートおよび記録レートに応じた数のフレームが映像元データから間引かれて生成されているため、第１映像データがネットワークを介して送信されるビットレートは送信レート以下に抑えられている。
【００５４】
ここで、送信部１０５は、第１映像データを送信するときには、映像データが第１映像データであることを示す識別子を、その第１映像データに付し、その識別子が付された第１映像データを送信している。さらに、送信部１０５は、第１映像データを送信するときには、送信フレーム決定部１０９から通知された最終タイムコードをその第１映像データとともに映像記録再生装置２００に送信する。
【００５５】
さらに、送信部１０５は、第１映像データの送信が終了すると、送信管理部１０６に対して、記憶されているタイムコードを間引きフレーム読出部１０７に通知するように指示する。
【００５６】
送信部１０５は、間引きフレーム読出部１０７から出力された間引きフレームを順次取得すると、それらの間引きフレームを第２映像データとしてネットワークを介して映像記録再生装置２００に出力する。つまり、第２映像データは、映像元データから間引かれて第１映像データとして送信されなかった複数のフレーム（間引きフレーム）からなる。言い換えれば、映像元データは、第１映像データに含まれる複数のフレームと第２映像データに含まれる複数のフレームとから構成されている。
【００５７】
ここで、送信部１０５は、第２映像データを出力するときには、映像データが第２映像データであることを示す識別子を、その第２映像データに付し、その識別子が付された第２映像データを出力している。
【００５８】
このように、本実施の形態における映像撮影装置１００は、記録レートがネットワークの送信レートよりも速い場合には、撮影時に第１映像データを送信し、撮影終了後に第２映像データを送信する。その結果、撮影時には、映像元データから幾つかのフレームが間引かれて残った複数のフレームからなる第１映像データが送信されるため、第１映像データに含まれる各フレームを、生成後に遅滞なく映像記録再生装置２００に送信することができる。
【００５９】
映像記録再生装置２００は、受信部２０１、受信記録部２１０、受信記録媒体２０３、読出部２０４、デコーダ２０５、および表示部２０６を備える。
【００６０】
なお、本実施の形態では、受信部２０１が受信手段として構成され、読出部２０４、デコーダ２０５および表示部２０６が再生手段として構成されている。
【００６１】
受信部２０１は、ネットワークを介して映像撮影装置１００から映像データ（第１映像データおよび第２映像データ）を受信して、その映像データを受信記録部２１０に出力する。
【００６２】
受信記録部２１０は、受信部２０１から映像データを取得すると、その映像データを受信記録媒体２０３に記録する。すなわち、受信記録部２１０は、第１映像データを取得すると、その第１映像データを１つのファイルとして受信記録媒体２０３に記録し、第２映像データを取得すると、第１映像データおよび第２映像データを１つのファイルとして受信記録媒体２０３に記録する。また、受信記録部２１０は、映像データに含まれる各フレームを予め定められたデータサイズ（例えば、受信記録媒体２０３のクラスタのサイズ）で受信記録媒体２０３に記録する。
【００６３】
受信記録媒体２０３は、第１映像データを記録するための第１連続領域と、第２映像データを記録するための第２連続領域とを有し、例えば、ＦＡＴ３２のファイルシステムにより管理される。
【００６４】
読出部２０４は、受信記録媒体２０３に記録されている映像データを読み出してデコーダ２０５に出力する。つまり、読出部２０４は、第１映像データが受信されて受信記録媒体２０３に記録されているときに、その第１映像データを読み出してデコーダ２０５に出力したり、第１映像データおよび第２映像データが全て受信記録媒体２０３に記録された後に、それらのデータを読み出してデコーダ２０５に出力したりする。
【００６５】
デコーダ２０５は、読出部２０４から映像データを取得すると、その映像データに含まれるフレームを順次伸張して表示部２０６に出力し、その表示部２０６に動画像などの映像を表示させる。
【００６６】
図３は、受信記録部２１０の内部構成を示すブロック図である。
受信記録部２１０は、映像データ振分部２１１、記録処理部２１２、第１連続領域記録部２１３、第２連続領域記録部２１４、および第２連続領域上書部２１５を備える。
【００６７】
なお、本実施の形態では、第１連続領域記録部２１３が第１の記録手段として構成され、記録処理部２１２が間引き判別手段として構成され、第２連続領域記録部２１４が第２の記録手段として構成され、第２連続領域上書部２１５が上書手段として構成されている。
【００６８】
映像データ振分部２１１は、受信部２０１から映像データを取得すると、その映像データに付された識別子に基づいて、その映像データが第１映像データであるか第２映像データであるかを判別する。
【００６９】
そして、映像データ振分部２１１は、第１映像データであると判別すると、その受信部２０１から取得した映像データを第１映像データとして記録処理部２１２に出力する。一方、映像データ振分部２１１は、第２映像データであると判別すると、その受信部２０１から取得した映像データを第２映像データとして第２連続領域上書部２１５に出力する。
【００７０】
また、映像データ振分部２１１は、第１映像データとともに最終タイムコードを受信したときには、その最終タイムコードを第１映像データとともに記録処理部２１２に出力する。
【００７１】
記録処理部２１２は、映像データ振分部２１１から第１映像データに含まれる送信フレームを順次取得する。
【００７２】
そして、記録処理部２１２は、送信フレームを取得するごとに、その送信フレームを処理対象フレームとし、その処理対象フレームに付されているタイムコードと、その処理対象フレームの直前に取得された送信フレーム（以下、直前フレームという）に付されているタイムコードとに基づいて、処理対象フレームと直前フレームとの間で間引きされたフレーム（間引きフレーム）があるか否かを判別する。さらに、記録処理部２１２は、間引きフレームがあると判別したときには、その間引きフレームの数を算出する。
【００７３】
例えば、記録処理部２１２は、タイムコード「１」の送信フレームを取得した後に、タイムコード「３」の送信フレームを取得する。この場合、記録処理部２１２は、まず、タイムコード「１」の送信フレームを処理対象フレームとする。そして、記録処理部２１２は、処理対象フレームのタイムコードが「１」であるため、その処理対象フレームが第１映像データの先頭のフレームであると判断し、間引きフレームはないと判別する。次に、記録処理部２１２は、タイムコード「３」の送信フレームを処理対象フレームとし、上述のタイムコード「１」の送信フレームを直前フレームとする。そして、記録処理部２１２は、処理対象フレームのタイムコード「３」と直前フレームのタイムコード「１」とに基づいて、処理対象フレームと直前フレームとの間に、タイムコード「２」の間引きフレームがあると判別し、間引きフレームの数を１枚と算出する。
【００７４】
このように、記録処理部２１２は、処理対象フレームと直前フレームとのそれぞれに付された、順番を示すタイムコードを取得し、２つのタイムコードの間に欠番があれば、間引きフレームがその欠番の数だけあると判別する。
【００７５】
また、記録処理部２１２は、第１映像データに含まれる最後の送信フレームを処理対象フレームとして取得したときには、さらに、その処理対象フレームのタイムコードと、映像データ振分部２１１から取得した最終タイムコードとを比較する。そして、記録処理部２１２は、処理対象フレームのタイムコードと最終タイムコードとが一致しない場合には、最後の送信フレームである処理対象フレームの直後に、間引きフレームがあると判断し、それらのタイムコードに基づいて、間引きフレームの数を算出する。なお、最後の送信フレームの直後にある間引きフレームを、以下、最終間引きフレームという。
【００７６】
例えば、記録処理部２１２は、最後の送信フレームである処理対象フレームのタイムコードが「７」であって、最終タイムコードが「８」の場合には、その処理対象フレームの直後にタイムコード「８」の最終間引きフレームがあると判別し、最終間引きフレームの数を１枚と算出する。
【００７７】
次に、記録処理部２１２は、間引きフレームがないと判別すると、処理対象フレームを第１連続領域記録部２１３に出力する。
【００７８】
一方、記録処理部２１２は、最終間引きフレームを除く間引きフレームがあると判別すると、算出された間引きフレームの数だけ直前フレームを第２連続領域に記録するように、第２連続領域記録部２１４に指示する。この指示に応じた第２連続領域記録部２１４による直前フレームの記録が終了すると、記録処理部２１２は、処理対象フレームを第１連続領域記録部２１３に出力する。
【００７９】
また、記録処理部２１２は、最終間引きフレームがあると判別すると、最終間引きフレームの数だけ処理対象フレームを第２連続領域に記録するように、第２連続領域記録部２１４に指示する。
【００８０】
第１連続領域記録部２１３は、記録処理部２１２から処理対象フレームを取得すると、その処理対象フレームを第１連続領域２０３ａに書き込み、ＦＡＴ領域２０３ｃを更新する。
【００８１】
第２連続領域記録部２１４は、記録処理部２１２からの直前フレームの記録指示を受けると、第１連続領域２０３ａに記録されている第１映像データの直前フレームを、記録処理部２１２によって算出された間引きフレームの数だけ第２連続領域２０３ｂに記録する。そして、第２連続領域記録部２１４は、ＦＡＴ領域２０３ｃを更新する。
【００８２】
また、第２連続領域記録部２１４は、記録処理部２１２からの処理対象フレームの記録指示を受けると、第１連続領域２０３ａに記録されている処理対象フレームを、記録処理部２１２によって算出された最終間引きフレームの数だけ第２連続領域２０３ｂに記録する。そして、第２連続領域記録部２１４は、ＦＡＴ領域２０３ｃを更新する。
【００８３】
第２連続領域上書部２１５は、映像データ振分部２１１から第２映像データを取得すると、その第２映像データに含まれる全てのフレームを第２連続領域２０３ｂに上書する。
【００８４】
ここで、映像元データに含まれる全てのフレームのうち１／２が送信フレームとして決定される場合において、映像元データが第１映像データと第２映像データとに分かれて送信される例について、図４および図５を用いて説明する。
【００８５】
図４は、映像元データが送信されて受信記録媒体２０３に記録される様子を説明するための説明図である。
【００８６】
まず、エンコーダ１０２は、図４の（ａ）に示すように、タイムコード「１」〜タイムコード「８」が付された８枚のフレームからなる映像元データを送信フレーム決定部１０９に出力する。このとき、エンコーダ１０２は、８枚のフレームをタイムコードの小さいフレームから順に出力する。
【００８７】
送信フレーム決定部１０９は、送信レートと記録レートとの比に基づいて、映像元データに含まれる全てのフレームのうち１／２のフレームを送信フレームにすべきと決定する。その結果、送信フレーム決定部１０９は、８枚のフレームのうちタイムコード「１，３，５，７」が付された４枚のフレームを送信フレームに決定する。そして、送信フレーム決定部１０９は、送信部１０５を介して、これらの４枚の送信フレームを第１映像データとして映像記録再生装置２００に送信する。
【００８８】
映像記録再生装置２００の受信記録部２１０は、上述のように送信された第１映像データのうち、タイムコード「１」が付された送信フレームを処理対象フレームとして取得すると、その処理対象フレームが第１映像データの先頭のフレームであると判断し、間引きフレームはないと判別する。
【００８９】
その結果、受信記録部２１０は、そのタイムコード「１」の処理対象フレームを第１連続領域２０３ａに記録するとともに、ＦＡＴ領域２０３ｃを更新する。このとき、受信記録部２１０は、第１連続領域２０３ａのタイムコード「１」のフレームが最初に読み出されるようにＦＡＴ領域２０３ｃを更新する。
【００９０】
次に、受信記録部２１０は、第１映像データのうち、タイムコード「３」が付された送信フレームを処理対象フレームとして取得すると、処理対象フレームのタイムコード「３」と直前フレームのタイムコード「１」とに基づいて、処理対象フレームと直前フレームとの間に、タイムコード「２」の間引きフレームがあると判別し、間引きフレームの数を１枚と算出する。
【００９１】
その結果、受信記録部２１０は、タイムコード「１」の直前フレームを１枚だけ第２連続領域２０３ｂに記録し、その後、タイムコード「３」の処理対象フレームを第１連続領域２０３ａ内のタイムコード「１」のフレームの後に記録するとともに、ＦＡＴ領域２０３ｃを更新する。このとき、受信記録部２１０は、第１連続領域２０３ａのタイムコード「１」のフレームの後に、第２連続領域２０３ｂのタイムコード「１」のフレームが読み出され、第１連続領域２０３ａのタイムコード「３」のフレームが読み出されるようにＦＡＴ領域２０３ｃを更新する。
【００９２】
さらに、受信記録部２１０は、第１映像データのうち、タイムコード「５」が付された送信フレームを処理対象フレームとして取得すると、処理対象フレームのタイムコード「５」と直前フレームのタイムコード「３」とに基づいて、処理対象フレームと直前フレームとの間に、タイムコード「４」の間引きフレームがあると判別し、間引きフレームの数を１枚と算出する。
【００９３】
その結果、受信記録部２１０は、タイムコード「３」の直前フレームを第２連続領域２０３ｂ内のタイムコード「１」のフレームの後に１枚だけ記録し、その後、タイムコード「５」の処理対象フレームを第１連続領域２０３ａ内のタイムコード「３」のフレームの後に記録するとともに、ＦＡＴ領域２０３ｃを更新する。このとき、受信記録部２１０は、第１連続領域２０３ａのタイムコード「３」のフレームの後に、第２連続領域２０３ｂのタイムコード「３」のフレームが読み出され、第１連続領域２０３ａのタイムコード「５」のフレームが読み出されるようにＦＡＴ領域２０３ｃを更新する。
【００９４】
このように、受信記録部２１０は、処理対象フレームを取得してその直前に間引きフレームがあると判別すると、間引きフレームの数だけ直前フレームを第２連続領域２０３ｂに記録し、その後、処理対象フレームを第１連続領域２０３ａに記録する。また、受信記録部２１０は、フレームを第１連続領域２０３ａまたは第２連続領域２０３ｂに記録するときには、直前に記録されたフレームの後に連続するように新たなフレームを記録する。そして、受信記録部２１０は、第１連続領域２０３ａおよび第２連続領域２０３ｂに記録されたフレームがその記録された順番通り、言い換えれば、タイムコードの順に読み出されるようにＦＡＴ領域２０３ｃを更新する。
【００９５】
また、受信記録部２１０は、第１映像データのうち、タイムコード「７」が付された送信フレームを処理対象フレームとして取得すると、上述と同様、タイムコード「５」の直前フレームを第２連続領域２０３ｂに１枚だけ記録し、その後、タイムコード「７」の処理対象フレームを第１連続領域２０３ａに記録するとともに、ＦＡＴ領域２０３ｃを更新する。
【００９６】
ここで、受信記録部２１０は、タイムコード「７」の処理対象フレームが第１映像データに含まれる最後の送信フレームであると判断すると、さらに、その処理対象フレームのタイムコード「７」と最終タイムコード「８」とを比較する。そして、受信記録部２１０は、処理対象フレームのタイムコードと最終タイムコードとが一致しないため、最後の送信フレームであるタイムコード「７」の処理対象フレームの後に、タイムコード「８」の最終間引きフレームがあると判断し、最終間引きフレームの数を１枚と算出する。
【００９７】
その結果、受信記録部２１０は、タイムコード「７」の処理対象フレームを第２連続領域２０３ｂ内のタイムコード「５」のフレームの後に１枚だけ記録し、ＦＡＴ領域２０３ｃを更新する。このとき、受信記録部２１０は、第１連続領域２０３ａのタイムコード「７」のフレームが読み出され、その後に第２連続領域２０３ｂのタイムコード「７」のフレームが読み出されるようにＦＡＴ領域２０３ｃを更新する。
【００９８】
これにより、ＦＡＴ領域２０３ｃは、８枚のフレームがタイムコードの小さいフレームから順に読み出されるような、８枚のフレームの論理的な順番を示す。
【００９９】
次に、間引きフレーム読出部１０７は、図４の（ｂ）に示すように、撮影記録媒体１０４に記録されている、タイムコード「１」〜タイムコード「８」が付された８枚のフレームからなる映像元データから、第１映像データとして送信されなかった、タイムコード「２，４，６，８」が付された４枚のフレーム（間引きフレーム）を読み出す。そして、間引きフレーム読出部１０７は、送信部１０５を介して、これらの４枚のフレームを第２映像データとして映像記録再生装置２００に送信する。
【０１００】
映像記録再生装置２００の受信記録部２１０は、上述のように送信された第２映像データを取得すると、その第２映像データに含まれる４枚のフレームを、タイムコードの小さいフレームから順に物理的に連続させて、第２連続領域２０３ｂに上書する。つまり、第２連続領域２０３ｂに記録されていた、タイムコード「１，３，５，７」の４枚のフレームが消去されて、タイムコード「２，４，６，８」の４枚のフレームが記録される。その結果、受信記録媒体２０３には、映像撮影装置１００によって撮影されて記録された映像元データが記録されることとなる。
【０１０１】
このとき、ＦＡＴ領域２０３ｃは更新されない。その結果、ＦＡＴ領域２０３ｃは、８枚のフレームがタイムコードの小さいフレームから順に読み出されるような、８枚のフレームの論理的な順番を示す。
【０１０２】
図５は、受信記録媒体２０３におけるＦＡＴ領域２０３ｃ、第１連続領域２０３ａ、および第２連続領域２０３ｂに記録されている内容を示す図である。なお、図５の（ａ）は、ＦＡＴ領域２０３ｃの内容を示し、図５の（ｂ）は、第１連続領域２０３ａおよび第２連続領域２０３ｂに記録されるフレームの物理的な配置を示す。
【０１０３】
撮影時の第１連続領域２０３ａでは、図５の（ｂ）に示すように、クラスタ番号「１１，１２，１３，１４」のクラスタのそれぞれに、タイムコード「１，３，５，７」のフレームが物理的に連続して記録される。また、撮影時の第２連続領域２０３ｂでは、図５の（ｂ）に示すように、クラスタ番号「２１，２２，２３，２４」のクラスタのそれぞれに、タイムコード「１，３，５，７」のフレームが物理的に連続して記録される。
【０１０４】
一方、ＦＡＴ領域２０３ｃは、図５の（ａ）に示すように、クラスタチェーン「１１→２１→１２→２２→１３→２３→１４→２４」を示す。つまり、ＦＡＴ領域２０３ｃは、クラスタ番号「１１→２１→１２→２２→１３→２３→１４→２４」の順に従って、第１連続領域２０３ａおよび第２連続領域２０３ｂの各クラスタに記録されているフレームが読み出されるような、ファイルシステム上の各フレームの論理的な順番を示す。なお、クラスタ番号「１１」は、映像データの先頭を指し示し、クラスタ番号「２４」は、映像データの終端を指し示す。また、そのクラスタ番号「２４」が映像データの終端であることを示す値「０ＦＦＦＦＦＦＦｈ」が、クラスタ番号「２４」の次のクラスタ番号として記録されている。
【０１０５】
したがって、映像撮影装置１００によって撮影が行われ、第１映像データが受信されて受信記録媒体２０３に記録されているときに、映像記録再生装置２００の読出部２０４が、このようなＦＡＴ領域２０３ｃの示す順番に従ってフレームを読み出すと、第１連続領域２０３ａおよび第２連続領域２０３ｂからタイムコード「１，１，３，３，５，５，７，７」のフレームが順に読み出されて再生される。
【０１０６】
また、映像撮影装置１００による撮影終了後、即ち、第１映像データの送信完了後に、第２映像データが全て送信されると、第２連続領域２０３ｂでは、図５の（ｂ）に示すように、クラスタ番号「２１，２２，２３，２４」のクラスタのそれぞれに、タイムコード「２，４，６，８」のフレームが物理的に連続して上書される。
【０１０７】
一方、ＦＡＴ領域２０３ｃは、撮影終了後に更新されず、上述と同様、図５の（ａ）に示すように、クラスタ番号「１→２１→１２→２２→１３→２３→１４→２４」の順に従って、第１連続領域２０３ａおよび第２連続領域２０３ｂの各クラスタに記録されているフレームが読み出されるような、ファイルシステム上の各ファイルの論理的な順番を示す。
【０１０８】
したがって、撮影終了後に、映像記録再生装置２００の読出部２０４が、このようなＦＡＴ領域２０３ｃの示す順番に従ってフレームを読み出すと、第１連続領域２０３ａおよび第２連続領域２０３ｂからタイムコード「１，２，３，４，５，６，７，８」のフレームが順に読み出されて再生されることとなる。
【０１０９】
このように、実施の形態における映像記録再生装置２００では、第１映像データの各フレームが記録されている第２連続領域２０３ｂに第２映像データの全てのフレームを上書するため、ＦＡＴ領域２０３ｃを更新することなく、複雑な処理を省くことができる。
【０１１０】
ここで、映像データに含まれる全てのフレームのうち１／３が送信フレームとして決定される場合において、映像元データが第１映像データと第２映像データとに分かれて送信される例について、図６および図７を用いて説明する。
【０１１１】
図６は、映像元データが送信されて受信記録媒体２０３に記録される様子を説明するための説明図である。
【０１１２】
まず、エンコーダ１０２は、図６の（ａ）に示すように、タイムコード「１」〜タイムコード「８」が付された８枚のフレームからなる映像元データを送信フレーム決定部１０９に出力する。このとき、エンコーダ１０２は、８枚のフレームをタイムコードの小さいフレームから順に出力する。
【０１１３】
送信フレーム決定部１０９は、送信レートと記録レートの比に基づいて、映像元データに含まれる全てのフレームのうち１／３のフレームを送信フレームにすべきと決定する。その結果、送信フレーム決定部１０９は、８枚のフレームのうちタイムコード「１，４，７」が付された３枚のフレームを送信フレームに決定する。そして、送信フレーム決定部１０９は、送信部１０５を介して、これらの３枚の送信フレームを第１映像データとして映像記録再生装置２００に送信する。
【０１１４】
映像記録再生装置２００の受信記録部２１０は、上述のように送信された第１映像データのうち、タイムコード「１」が付された送信フレームを処理対象フレームとして取得すると、上述と同様、その処理対象フレームが第１映像データの先頭のフレームであると判断し、間引きフレームはないと判別する。
【０１１５】
その結果、受信記録部２１０は、そのタイムコード「１」の処理対象フレームを第１連続領域２０３ａに記録するとともに、ＦＡＴ領域２０３ｃを更新する。このとき、受信記録部２１０は、第１連続領域２０３ａのタイムコード「１」のフレームが最初に読み出されるようにＦＡＴ領域２０３ｃを更新する。
【０１１６】
次に、受信記録部２１０は、第１映像データのうち、タイムコード「４」が付された送信フレームを処理対象フレームとして取得すると、処理対象フレームのタイムコード「４」と直前フレームのタイムコード「１」とに基づいて、処理対象フレームと直前フレームとの間に、タイムコード「２，３」の間引きフレームがあると判別し、間引きフレームの数を２枚と算出する。
【０１１７】
その結果、受信記録部２１０は、タイムコード「１」の直前フレームを２枚だけ第２連続領域２０３ｂに記録し、その後、タイムコード「４」の処理対象フレームを第１連続領域２０３ａ内のタイムコード「１」のフレームの後に記録するとともに、ＦＡＴ領域２０３ｃを更新する。このとき、受信記録部２１０は、第１連続領域２０３ａのタイムコード「１」のフレームの後に、第２連続領域２０３ｂのタイムコード「１，１」のフレームが読み出され、第１連続領域２０３ａのタイムコード「４」のフレームが読み出されるようにＦＡＴ領域２０３ｃを更新する。
【０１１８】
さらに、受信記録部２１０は、第１映像データのうち、タイムコード「７」が付された送信フレームを処理対象フレームとして取得すると、処理対象フレームのタイムコード「７」と直前フレームのタイムコード「４」とに基づいて、処理対象フレームと直前フレームとの間に、タイムコード「５，６」の間引きフレームがあると判別し、間引きフレームの数を２枚と算出する。
【０１１９】
その結果、受信記録部２１０は、タイムコード「４」の直前フレームを第２連続領域２０３ｂ内のタイムコード「１，１」のフレームの後に２枚だけ記録し、その後、タイムコード「７」の処理対象フレームを第１連続領域２０３ａ内のタイムコード「４」の後に記録するとともに、ＦＡＴ領域２０３ｃを更新する。このとき、受信記録部２１０は、第１連続領域２０３ａのタイムコード「４」のフレームの後に、第２連続領域２０３ｂのタイムコード「４，４」のフレームが読み出され、第１連続領域２０３ａのタイムコード「７」のフレームが読み出されるようにＦＡＴ領域２０３ｃを更新する。
【０１２０】
さらに、受信記録部２１０は、タイムコード「７」の処理対象フレームが第１映像データに含まれる最後の送信フレームであると判断すると、その処理対象フレームのタイムコード「７」と最終タイムコード「８」とを比較する。そして、受信記録部２１０は、処理対象フレームのタイムコードと最終タイムコードとが一致しないため、最後の送信フレームであるタイムコード「７」の処理対象フレームの後に、タイムコード「８」の最終間引きフレームがあると判断し、最終間引きフレームの数を１枚と算出する。
【０１２１】
その結果、受信記録部２１０は、タイムコード「７」の処理対象フレームを第２連続領域２０３ｂ内のタイムコード「４，４」のフレームの後に１枚だけ記録し、ＦＡＴ領域２０３ｃを更新する。このとき、受信記録部２１０は、第１連続領域２０３ａのタイムコード「７」のフレームが読み出され、その後に第２連続領域２０３ｂのタイムコード「７」のフレームが読み出されるようにＦＡＴ領域２０３ｃを更新する。
【０１２２】
これにより、ＦＡＴ領域２０３ｃは、８枚のフレームがタイムコードの小さいフレームから順に読み出されるような、８枚のフレームの論理的な順番を示す。
【０１２３】
次に、間引きフレーム読出部１０７は、図６の（ｂ）に示すように、撮影記録媒体１０４に記録されている、タイムコード「１」〜タイムコード「８」が付された８枚のフレームからなる映像元データから、第１映像データとして送信されなかった、タイムコード「２，３，５，６，８」が付された５枚のフレーム（間引きフレーム）を読み出す。そして、送信フレーム決定部１０９は、送信部１０５を介して、これらの５枚のフレームを第２映像データとして映像記録再生装置２００に送信する。
【０１２４】
映像記録再生装置２００の受信記録部２１０は、上述のように送信された第２映像データを取得すると、その第２映像データに含まれる５枚のフレームを、タイムコードの小さいフレームから順に物理的に連続させて、第２連続領域２０３ｂに上書する。つまり、第２連続領域２０３ｂに記録されていた、タイムコード「１，１，４，４，７」の５枚のフレームが消去されて、タイムコード「２，３，５，６，８」の５枚のフレームが記録される。その結果、受信記録媒体２０３には、映像撮影装置１００によって撮影されて記録された映像元データが記録されることとなる。
【０１２５】
このとき、ＦＡＴ領域２０３ｃは更新されない。その結果、ＦＡＴ領域２０３ｃは、８枚のフレームがタイムコードの小さいフレームから順に読み出されるような、８枚のフレームの論理的な順番を示す。
【０１２６】
図７は、受信記録媒体２０３におけるＦＡＴ領域２０３ｃ、第１連続領域２０３ａ、および第２連続領域２０３ｂに記録されている内容を示す図である。なお、図７の（ａ）は、ＦＡＴ領域２０３ｃの内容を示し、図７の（ｂ）は、第１連続領域２０３ａおよび第２連続領域２０３ｂに記録されるフレームの物理的な配置を示す。
【０１２７】
撮影時の第１連続領域２０３ａでは、図７の（ｂ）に示すように、クラスタ番号「１１，１２，１３」のクラスタのそれぞれに、タイムコード「１，４，７」のフレームが物理的に連続して記録される。また、撮影時の第２連続領域２０３ｂでは、図７の（ｂ）に示すように、クラスタ番号「２１，２２，２３，２４，２５」のクラスタのそれぞれに、タイムコード「１，１，４，４，７」のフレームが物理的に連続して記録される。
【０１２８】
一方、ＦＡＴ領域２０３ｃは、図７の（ａ）に示すように、クラスタチェーン「１１→２１→２２→１２→２３→２４→１３→２５」を示す。つまり、ＦＡＴ領域２０３ｃは、クラスタ番号「１１→２１→２２→１２→２３→２４→１３→２５」の順に従って、第１連続領域２０３ａおよび第２連続領域２０３ｂの各クラスタに記録されているフレームが読み出されるような、ファイルシステム上の各フレームの論理的な順番を示す。なお、クラスタ番号「１１」は、映像データの先頭を指し示し、クラスタ番号「２５」は、映像データの終端を指し示す。また、そのクラスタ番号「２５」が映像データの終端であることを示す値「０ＦＦＦＦＦＦＦｈ」が、クラスタ番号「２５」の次のクラスタ番号として記録されている。
【０１２９】
したがって、映像撮影装置１００によって撮影が行われ、第１映像データが受信されて受信記録媒体２０３に記録されているときに、映像記録再生装置２００の読出部２０４が、このようなＦＡＴ領域２０３ｃの示す順番に従ってフレームを読み出すと、第１連続領域２０３ａおよび第２連続領域２０３ｂからタイムコード「１，１，１，４，４，４，７，７」のフレームが順に読み出されて再生される。
【０１３０】
また、映像撮影装置１００による撮影終了後、即ち、第１映像データの送信完了後に、第２映像データの全てが送信されると、第２連続領域２０３ｂでは、図７の（ｂ）に示すように、クラスタ番号「２１，２２，２３，２４，２５」のクラスタのそれぞれに、タイムコード「２，３，５，６，８」のフレームが物理的に連続して上書される。
【０１３１】
一方、ＦＡＴ領域２０３ｃは、撮影終了後に更新されず、上述と同様、図７の（ａ）に示すように、クラスタ番号「１１→２１→２２→１２→２３→２４→１３→２５」の順に従って、第１連続領域２０３ａおよび第２連続領域２０３ｂの各クラスタに記録されているフレームが読み出されるような、ファイルシステム上の各ファイルの論理的な順番を示す。
【０１３２】
したがって、撮影終了後に、映像記録再生装置２００の読出部２０４が、このようなＦＡＴ領域２０３ｃの示す順番に従ってフレームを読み出すと、上述と同様、第１連続領域２０３ａおよび第２連続領域２０３ｂからタイムコード「１，２，３，４，５，６，７，８」のフレームを順に読み出して再生することとなる。
【０１３３】
このように、実施の形態における映像記録再生装置２００では、映像元データに対してどのような割合で送信フレームが決定されても、上述と同様、第１映像データの各フレームが記録されている第２連続領域２０３ｂに第２映像データの全てのフレームを上書するため、ＦＡＴ領域２０３ｃを更新することなく、複雑な処理を省くことができる。
【０１３４】
図８は、本実施の形態における映像撮影装置１００の動作を示すフローチャートである。
【０１３５】
ユーザは、映像撮影装置１００を操作することにより、その映像撮影装置１００による撮影を開始させる。このとき、映像撮影装置１００の送信レート特定部１０８は、まず、ネットワークの送信レートを特定して送信フレーム決定部１０９に通知する（ステップＳ１００）。送信フレーム決定部１０９は、通知された送信レートを、予め記憶している記録レートで除算することにより、その除算結果である指標ｘを算出する（ステップＳ１０２）。
【０１３６】
次に、送信フレーム決定部１０９は、指標ｘが１以上であるか否かを判別する（ステップＳ１０４）。ここで、送信フレーム決定部１０９によって、指標ｘが１以上であると判別されると（ステップＳ１０４のＹ）、映像撮影装置１００の撮影部１０１、エンコーダ１０２および撮影記録部１０３は撮影を開始する。
【０１３７】
つまり、映像撮影装置１００は、１フレーム分の撮影を行ってそのフレームを撮影記録媒体１０４に記録し（ステップＳ１０６）、そのフレームを映像記録再生装置２００に送信する（ステップＳ１０８）。その後、映像撮影装置１００は、ユーザによって撮影終了が指示されたか否かを判別し（ステップＳ１１０）、撮影終了が指示されていないと判別すると（ステップＳ１１０のＮ）、ステップＳ１０６からの処理を繰り返し実行する。
【０１３８】
このようなステップＳ１０６〜Ｓ１１０では、送信フレーム決定部１０９は、ステップＳ１０４で指標ｘが１以上であると判別しているため、エンコーダ１０２から出力される全てのフレームを送信フレームに決定し、送信部１０５に出力している。
【０１３９】
一方、送信フレーム決定部１０９は、ステップＳ１０４で指標ｘが１未満であると判別すると（ステップＳ１０４のＮ）、その指標ｘに基づいて、エンコーダ１０２から出力される全てのフレームの数に対する送信フレームの数の割合を決定する（ステップＳ１１２）。つまり、送信フレーム決定部１０９は、指標ｘが１／２≦ｘ＜１を満たす場合には、その送信フレームの割合を１／２に決定する。言い換えれば、送信フレーム決定部１０９は、エンコーダ１０２から出力されるフレームの２枚に１枚を送信フレームにすべきと決定する。また、送信フレーム決定部１０９は、指標ｘが１／３≦ｘ＜１／２を満たす場合には、その送信フレームの割合を１／３に決定する。言い換えれば、送信フレーム決定部１０９は、エンコーダ１０２から出力されるフレームの３枚に１枚を送信フレームにすべきと決定する。
【０１４０】
このように送信フレームの割合が決定されると、映像撮影装置１００の撮影部１０１、エンコーダ１０２および撮影記録部１０３は撮影を開始する。つまり、映像撮影装置１００は、１フレーム分の撮影を行ってそのフレームを撮影記録媒体１０４に記録する（ステップＳ１１４）。そして、送信フレーム決定部１０９は、ステップＳ１１２で決定された割合に基づいて、ステップＳ１１４で記録されるフレームを送信フレームとすべきか否かを判別する（ステップＳ１１６）。
【０１４１】
送信フレームとすべきと判別されると（ステップＳ１１６のＹ）、送信フレーム決定部１０９は、その記録されるフレームを送信フレームとして送信部１０５に出力し、送信部１０５はその送信フレームを第１映像データとして映像記録再生装置２００に送信する（ステップＳ１１８）。一方、送信フレームとすべきでないと判別されると（ステップＳ１１６のＮ）、送信フレーム決定部１０９は、その記録されるフレームを送信フレームとして送信部１０５に送信することなく、そのフレームのタイムコードを送信管理部１０６に出力して記憶させる（ステップＳ１２０）。これにより、映像記録再生装置２００に送信される映像元データのフレームが間引かれる。
【０１４２】
その後、映像撮影装置１００は、ユーザによって撮影終了が指示されたか否かを判別し（ステップＳ１２２）、撮影終了が指示されていないと判別すると（ステップＳ１２２のＮ）、ステップＳ１１４からの処理を繰り返し実行する。
【０１４３】
一方、ステップＳ１２２で撮影終了が指示されたと判別されると（ステップＳ１２２のＹ）、間引きフレーム読出部１０７は、ステップＳ１２０で記録されたタイムコードに対応するフレームを間引きフレームとして撮影記録媒体１０４から読み出す（ステップＳ１２４）。そして、送信部１０５は、その読み出された間引きフレームを第２映像データとして映像記録再生装置２００に送信する（ステップＳ１２６）。
【０１４４】
図９は、本実施の形態における映像記録再生装置２００の記録動作を示すフローチャートである。
【０１４５】
映像記録再生装置２００の受信部２０１は、映像撮影装置１００から映像データを取得すると、受信記録部２１０にその映像データを出力する。ここで、受信記録部２１０は、その映像データに付された識別子を取得する（ステップＳ２００）。そして、受信記録部２１０は、その識別子に基づいて、その映像データが第１映像データであるか第２映像データであるかを判別する（ステップＳ２０２）。
【０１４６】
ここで、受信記録部２１０は、第１映像データであると判別すると（ステップＳ２０２の第１映像データ）、第１映像データの先頭側から順に１つのフレームｆ（ｎ）を処理対象フレームとして取得する（ステップＳ２０４）。なお、フレームｆ（ｎ）は、第１映像データの先頭からｎ番目（ｎは自然数）のフレームである。さらに、受信記録部２１０は、その処理対象フレームｆ（ｎ）に付されたタイムコードと、その処理対象フレームｆ（ｎ）の直前に取得された直前フレームｆ（ｎ−１）に付されたタイムコードとに基づいて、処理対象フレームｆ（ｎ）の直前に間引きフレームがあるか否かを判別する（ステップＳ２０６）。
【０１４７】
受信記録部２１０は、直前に間引きフレームがあると判別すると（ステップＳ２０６のＹ）、間引きフレームの数Ｎｆを算出し（ステップＳ２０８）、直前フレームｆ（ｎ−１）をＮｆ枚だけ第２連続領域２０３ｂに記録する（ステップＳ２１０）。このとき、受信記録部２１０は、ＦＡＴ領域２０３ｃを更新する。
【０１４８】
また、受信記録部２１０は、ステップＳ２０６で直前に間引きフレームがないと判別したとき（ステップＳ２０６のＮ）、またはステップＳ２１０の後、ステップＳ２０４で取得した処理対象フレームｆ（ｎ）を第１連続領域２０３ａに記録する（ステップＳ２１２）。このとき、受信記録部２１０は、ＦＡＴ領域２０３ｃを更新する。
【０１４９】
さらに、受信記録部２１０は、その処理対象フレームｆ（ｎ）に付されたタイムコードと最終タイムコードとに基づいて、処理対象フレームｆ（ｎ）の直後に最終間引きフレームがあるか否かを判別する（ステップＳ２１４）。
【０１５０】
受信記録部２１０は、最終間引きフレームがあると判別すると（ステップＳ２１４のＹ）、最終間引きフレームの数Ｎｆ’を算出し（ステップＳ２１６）、処理対象フレームｆ（ｎ）をＮｆ’枚だけ第２連続領域２０３ｂに記録する（ステップＳ２１８）。このとき、受信記録部２１０は、ＦＡＴ領域２０３ｃを更新する。
【０１５１】
また、受信記録部２１０は、ステップＳ２１４で最終間引きフレームがないと判別したとき（ステップＳ２１４のＮ）、またはステップＳ２１８の後、さらに、第１映像データの受信が終了したか否かを判別する（ステップＳ２２０）。
【０１５２】
ここで、受信記録部２１０は、終了したと判別すると（ステップＳ２２０のＹ）、記録処理を一時終了し、終了していないと判別すると（ステップＳ２２０のＮ）、変数ｎを１だけ増加させて（ステップＳ２２２）、ステップＳ２０４からの処理を繰り返し実行する。
【０１５３】
一方、受信記録部２１０は、ステップＳ２０２で第２映像データであると判別すると（ステップＳ２０２の第２映像データ）、第２映像データの先頭側から順に１つのフレームｆ（ｍ）を取得して（ステップＳ２２４）、そのフレームｆ（ｍ）を第２連続領域２０３ｂに上書する（ステップＳ２２６）。なお、フレームｆ（ｍ）は、第２映像データの先頭からｍ番目（ｍは自然数）のフレームである。
【０１５４】
次に、受信記録部２１０は、第２映像データの受信が終了したか否かを判別する（ステップＳ２２８）。ここで、受信記録部２１０は、終了していないと判別すると（ステップＳ２２８のＮ）、変数ｍを１だけ増加させて（ステップＳ２３０）、ステップＳ２２４からの処理を繰り返し実行する。一方、受信記録部２１０は、終了したと判別すると（ステップＳ２２８のＹ）、記録処理を終了する。
【０１５５】
このように、本実施の形態における映像撮影装置１００では、記録レートがネットワークの送信レートよりも速い場合には、映像元データから幾つかのフレームが間引かれて残った複数のフレームからなる第１映像データが送信される。これにより、第１映像データを送信速度以下で送信することができ、第１映像データに含まれる各フレームを、生成後に遅滞なく映像記録再生装置２００に送信することができる。その結果、送信先の映像記録再生装置２００では、撮影により得られる例えば動画像などの映像を、その撮影と同時にリアルタイムで再生することができる。さらに、第１映像データが送信された後、第２映像データが映像記録再生装置２００に送信されるため、その映像記録再生装置２００では、映像撮影装置１００の撮影記録媒体１０４に記録された映像元データと同一のデータを記録することができ、高画質の映像を再生することができる。
【０１５６】
また、本実施の形態における映像記録再生装置２００では、第１映像データが受信されているときには、その第１映像データのフレームが受信されるごとに、そのフレームが受信記録媒体２０３の第１連続領域２０３ａに記録されるとともに、直前の間引きフレームの数だけ第２連続領域２０３ｂにも記録される。ここで、ＦＡＴ領域２０３ｃは、フレームの撮影の順番に従って同一の複数のフレームが連続して読み出されるようなクラスタチェーンに更新される。
【０１５７】
したがって、第１映像データが受信されているときに、読出部２０４およびデコーダ２０５がそのＦＡＴ領域２０３ｃの示すクラスタチェーンに沿ってフレームを連続して読み出して再生すれば、映像撮影装置１００によって撮影されて得られる例えば動画像などの映像を、その撮影と同時にリアルタイムで再生することができる。
【０１５８】
さらに、第２の映像データが受信されたときには、第１映像データの幾つかのフレームが既に記録された第２連続領域２０３ｂに、第２映像データの全てのフレームが上書される。その結果、第２映像データが全て受信された後には、読出部２０４およびデコーダ２０５は、上述のＦＡＴ領域２０３ｃのクラスタチェーンを変えることなく、同一のクラスタチェーンに従って各フレームを受信記録媒体２０３から読み出せば、映像元データに含まれていたフレームの順番に従って、それらのフレームを読み出して高画質に映像を再生することができる。つまり、第１映像データが受信されているときにおけるフレームの読み出しおよび再生処理と、第２映像データが全て受信された後におけるフレームの読み出しおよび再生処理とを共通にすることができ、ＦＡＴ領域２０３ｃの更新などの複雑な処理を省くことができる。
【０１５９】
また、本実施の形態における映像記録再生装置２００では、第２映像データが上書されるときには、その第２映像データに含まれる全てのフレームが連続して第２連続領域２０３ｂに上書されるため、複数のクラスタからなるデータサイズごとに、その全てのフレームを第２連続領域２０３ｂに上書することができ、その結果、高速に上書することができる。
【０１６０】
以上、本発明に係る映像撮影装置および映像記録再生装置について、上記実施の形態を用いて説明したが、本発明は、これらに限定されるものではない。
【０１６１】
例えば、上記実施の形態では、フレームのデータサイズとファイルシステムのクラスタのサイズとを等しく扱ったが、フレームのデータサイズをクラスタのサイズよりも大きくてもよい。この場合、映像記録再生装置２００の受信記録部２１０は、１つのフレームを複数のクラスタに分けて記録する。また、フレームのデータサイズがクラスタのサイズの整数倍でなくてもよい。この場合、映像記録再生装置２００の受信記録部２１０は、フレームのデータサイズがクラスタのサイズの整数倍になるように、そのフレームの末尾にダミーのデータを付して受信記録媒体２０３に記録する。例えば、受信記録部２１０は、フレームのデータサイズをクラスタのサイズで除算し、その余りをクラスタのサイズから減算することにより、ダミーのデータのサイズを算出する。さらに、読出部２０４は、受信記録媒体２０３からフレームを読み出すときには、クラスタ単位でそのフレームを読み出してダミーのデータを削除してもよく、ダミーのデータを読み出さずにフレームのみを読み出してもよい。
【０１６２】
また、上記実施の形態では、第１連続領域記録部２１３および第２連続領域記録部２１４および第２連続領域上書部２１５がフレームを受信記録媒体２０３に記録するときには、フレームを１つずつ受信記録媒体２０３に記録したが、複数のフレームを同時に受信記録媒体２０３に記録してもよい。例えば、フラッシュメモリなどで構成される受信記録媒体２０３に対して高速にデータを記録する場合には、所定の記録データサイズ単位でデータを記録しなければならない。このような場合、第１連続領域記録部２１３は、第１連続領域２０３ａに記録すべきフレームを順次蓄積し、その蓄積された複数のフレームの全体のデータサイズが上述の所定の記録データサイズ以上になったときに、蓄積された複数のフレームを連続させて同時に第１連続領域２０３ａに記録する。同様に、第２連続領域記録部２１４は、第２連続領域２０３ｂに記録すべきフレームを順次蓄積し、その蓄積された複数のフレームの全体のデータサイズが上述の所定の記録データサイズ以上になったときに、その蓄積された複数のフレームを連続させて同時に第２連続領域２０３ｂに記録する。同様に、第２連続領域上書部２１５は、第２連続領域２０３ｂに記録すべきフレームを順次蓄積し、その蓄積された複数のフレームの全体のデータサイズが上述の所定の記録データサイズ以上になったときに、その蓄積された複数のフレームを連続させて同時に第２連続領域２０３ｂに上書する。これにより、複数のフレームが所定の記録データサイズ単位で纏めて受信記録媒体２０３に記録されるため、高速な記録を実現することができる。
【０１６３】
ただし、ネットワークの送信レートが非常に遅いときに、記録データサイズ単位でデータを受信記録媒体２０３に記録すれば、逆に、受信記録媒体２０３への各フレームの記録が遅れ、撮影と同時にそれらのフレームを再生させることができないことがある。例えば、図６に示すように、送信フレーム決定部１０９が、エンコーダ１０２から出力される全てのフレームのうち１／３を送信フレームとして決定しているときのように、ネットワークの送信レートが遅く、第１映像データのフレームの数が第２映像データのフレームの数よりも少ないときほど、上述のような記録の遅れが顕著になる。
【０１６４】
つまり、第２連続領域記録部２１４では、蓄積されるフレームの数の増加率が大きい一方で、第１連続領域記録部２１３では、蓄積されるフレームの数の増加率は小さい。したがって、第１連続領域記録部２１３によるフレームの第１連続領域２０３ａへの記録が遅れ、その結果、そのフレームの再生も遅れてしまうのである。
【０１６５】
したがって、このような場合には、第１連続領域記録部２１３は、蓄積されているフレームのデータサイズが所定の記録データサイズに達していなくても、その蓄積されているフレームを第１連続領域２０３ａに記録してもよい。また、第２連続領域記録部２１４も、同様に、蓄積されているフレームのデータサイズが所定の記録データサイズに達していなくても、その蓄積されているフレームを第２連続領域２０３ｂに記録してもよい。
【０１６６】
また、上記実施の形態では、送信フレーム決定部１０９は、指標ｘが１／２≦ｘ＜１を満たす場合には、送信フレームの割合を１／２に決定し、指標ｘが１／３≦ｘ＜１／２を満たす場合には、送信フレームの割合を１／３に決定したが、第１映像データの転送速度がネットワークの送信レート以下に収まるのであれば、送信フレームの割合を他の割合に決定してもよい。
【０１６７】
また、上記実施の形態では、映像撮影装置１００が映像データを映像記録再生装置２００に送信したが、音声を示す音声データも送信してもよい。この場合、映像撮影装置１００は、音声データを構成するフレームを間引いて残った複数のフレームからなる音声データを送信してもよく、全ての音声データを送信してもよい。また、映像撮影装置１００は映像データの代わりに音声データを映像記録再生装置２００に送信してもよい。
【０１６８】
また、上記実施の形態では、映像撮影装置１００は、第１映像データおよび第２映像データに対して、それらを識別するための識別子を付したが、映像記録再生装置２００が第１映像データおよび第２映像データをそれぞれ識別することができれば、映像撮影装置１００は、その識別子を付けなくてもよい。例えば、第１映像データの先頭のフレームのタイムコードが必ず「１」とされている場合には、映像記録再生装置２００は、映像データの先頭のフレームのタイムコードが「１」であれば、その映像データが第１映像データであると判断し、映像データの先頭のフレームのタイムコードが「１」でなければ、その映像データが第２映像データであると判断する。
【０１６９】
また、上記実施の形態では、送信フレーム決定部１０９は、間引きフレームのタイムコードを、間引きフレームを識別するための情報として送信管理部１０６に送信したが、タイムコード以外の他の情報を送信管理部１０６に送信してもよい。例えば、送信フレーム決定部１０９は、映像の撮影ごとに映像元データに付される識別子と、映像元データの先頭を基準にした間引きフレームの位置とを示す情報を送信管理部１０６に送信してもよい。
【産業上の利用可能性】
【０１７０】
本発明の映像撮影装置および映像記録再生装置は、ネットワークの送信速度が遅くても、撮影により得られる映像をネットワークを介して送信し、撮影と同時に送信先で映像を再生することができるという効果を奏し、例えば、デジタルビデオカメラやパーソナルコンピュータなどに適用することができる。
【図面の簡単な説明】
【０１７１】
【図１】本発明の実施の形態のおける映像送信システムを示す図である。
【図２】同上の映像撮影装置および映像記録再生装置の内部構成を示すブロック図である。
【図３】同上の受信記録部の内部構成を示すブロック図である。
【図４】同上の映像元データが送信されて受信記録媒体に記録される様子を説明するための説明図である。
【図５】同上の受信記録媒体におけるＦＡＴ領域、第１連続領域、および第２連続領域に記録されている内容を示す図である。
【図６】同上の映像元データが送信されて受信記録媒体に記録される他の様子を説明するための説明図である。
【図７】同上の受信記録媒体におけるＦＡＴ領域、第１連続領域、および第２連続領域に記録されている内容を示す図である。
【図８】同上の映像撮影装置の動作を示すフローチャートである。
【図９】同上の映像記録再生装置の記録動作を示すフローチャートである。
【図１０】従来の映像撮影装置および映像記録再生装置を含む映像送信システムの構成を示す図である。
【符号の説明】
【０１７２】
１００  映像撮影装置
１０１  撮影部
１０２  エンコーダ
１０３  撮影記録部
１０４  撮影記録媒体
１０５  送信部
１０６  送信管理部
１０７  間引きフレーム読出部
１０８  送信レート特定部
１０９  送信フレーム決定部
２００  映像記録再生装置
２０１  受信部
２０３  受信記録媒体
２０３ａ  第１連続領域
２０３ｂ  第２連続領域
２０３ｃ  ＦＡＴ領域
２０４  読出部
２０５  デコーダ
２０６  表示部
２１０  受信記録部
２１１  映像データ振分部
２１２  記録処理部
２１３  第１連続領域記録部
２１４  第２連続領域記録部
２１５  第２連続領域上書部
【図１】
2008311791.tif 000003
【図２】
2008311791.tif 000004
【図３】
2008311791.tif 000005
【図４】
2008311791.tif 000006
【図５】
2008311791.tif 000007
【図６】
2008311791.tif 000008
【図７】
2008311791.tif 000009
【図８】
2008311791.tif 000010
【図９】
2008311791.tif 000011
【図１０】
2008311791.tif 000012